(57)【要約】【課題】      パソコンを操作使用後、通電状態及びコネクタの差し替え無しの状態でパソコンを立掛けることにより机上で使用していたパソコン専用部分の空間が確保出来、他の作業が同一机上で可能になることの物品を提供する。【解決手段】  収納箱１は、固定底板２と蝶番３で接続されており調整板６は組ネジ穴８が開けられ、机の長さに応じ固定底板２と共に組ネジ取付穴７でネジ止めする。調整板６は机の両袖側又は背面側にアジャスターボルト９等で机に固定する。  収納箱１には、パソコン２０及びケーブル類を収容することが出来、パソコン２０を乗せた滑らし板１５を収納箱１から手前に引出して操作しやすい位置でパソコンを開き使用する。使用後は、パソコンを閉じ、パソコンを乗せた滑らし板１５を収納箱１に滑り込ませた後、収納した状態で立掛け、固定底板２に取付け済の転倒防止金具製等のあおり止め４で収容箱１に引掛けて転倒を完全に防いでいる。【選択図】図１
2011041779.tif 000002
【特許請求の範囲】
【請求項１】
机上に設置し、固板底板と調整板と収納箱とで形成されるパソコン収納立掛け台であって、固定底板と机の両袖側に固定する調整板は、机の横長さに応じて組ネジ穴が開けられており、又調整板は机の背面側からもアジャスターボルト等で固定でき、パソコンを収納する収納箱はパソコンに直接接続されているコネクタ、ケーブル類を収容できる部分を持ちこの収納箱は固定底板と蝶番等で繋がっているため収納箱に閉じたパソコンを入れたままの状態で収納箱を前方に倒すことにより、立掛ける状態にする事が出来るパソコン収納立掛け台。
【請求項２】
請求項１の収納箱は、パソコン寸法の縦寸法の約１／３以上を収納することが出来、且つパソコンに直接接続されている電源、ＬＡＮ、ケーブル類の収納可能な部分の空間を持ちパソコンに接続されるケーブル類は収納箱のケーブル口から出し入れする事が出来、パソコンの転倒による故障を発生させない工夫として収納箱は、安易に物が当たった程度では倒れないようにあおり止め等で確実に固定されるパソコン収納立掛け台。
【請求項３】
請求項１の収納箱には、滑らし板（１５）を用い、パソコンを乗せた状態の滑らし板をパソコンを操作しやすい位置まで引き寄せて操作使用し、使用後はパソコンを滑らし板に載せた状態で収納箱にすべり込ませ、そのまま収納箱毎、９０度前方へ立て掛けるもので指を掛け、引き寄せ又、立掛ける時に便利なようにパソコンを乗せた手前側に指穴の開口部を持ち、滑らし板は収納箱底部分との摩擦を少なくするように波型の底を持つパソコン収納立掛け台。
【請求項４】
請求項１の固定底板は、収納箱と蝶番及び上蓋ステーを介して接続されており、収納箱を前方に回転立掛け、この固定底板は組ネジ取付穴等が有り、固定底板と調整板を重ねて使用するためもので調整板の取付け用組ネジ穴の位置を机の長さに応じて変更し、ネジ止めする事により机と固定底板と調整板を固定させることが出来、立掛けたときの転倒防止としてあおり止めが取付けられており収納箱の留金にあおり止めの片方を掛けて使用し且つ固定底板の収納箱背面側はパソコン用電源アダプタ、電源コンセントを設置する事が出来、共に接着付きマグネット等を貼り付け脱着可能な空間を持つパソコン収納立掛け台。
【請求項５】
請求項１の調整板には机の両袖側及び背面袖側に固定することが出来る兼用型の構造のもので小判形長方形の組ネジ穴が開けられており机の長さに応じて固定底板及び調整板を重ね合わせた後、組みネジ等で固定され、さらに机との固定は調整板のアジャスターボルト等で行うことが出来るパソコン収納立掛け台。
【請求項６】
机の背面側取付け専用型は、取付の収納箱は、［請求項１］の調整板は無く机の背面側に取付け固定する固定底板とアジャスターボルト等が一体の作りに成っているパソコン収納立掛け台。
【請求項７】
机の板厚の返しが無く、背面及び両袖に調整板の取付けが出来ない場合は、机の両袖に直接アジャスターボルト等で取付けし、はみ出たボルト等の先端は、キャップ等で養生しておくパソコン収納立掛け台。
【発明の詳細な説明】
【技術分野】
【０００１】  ノート型パソコンを閉じた状態で机に立掛け出来る収納箱と其れを固定する固定底板及び調整板で構成され、固定底板と収納箱は、蝶番等を介し収納箱を前方に回転させ立掛ける構造のもの。
【背景技術】
【０００２】  パソコンを机上で使用した後は、パソコンを閉じた状態で机上に置かれており、同じ机上で他の作業（書類記入・整理等）をする場合パソコンが邪魔でその都度の移動が（電源、ケーブル類等の抜き差しが必要で）面倒なことも有って不自由な姿勢で他の作業を行っていた。【０００３】［特許文献１］は、基台を机に止め、揺動体にパソコンを固定して倒立位置にしている。【０００４】［特許文献１］は、パソコンを揺動体にビス、両面テープ等で固定している。【０００５】［特許文献１］は、パソコンを固定した揺動体を倒立位置に起こした時に、基台の自己保持をバネで行っている。【０００６】［特許文献１］の、別実施形態のノート型パソコンスタンドは、机に固定しない自立型で倒立させている。【０００７】［特許文献１］の、別実施形態のノート型パソコンスタンドである基板体付きのノート型パソコンスタンドにあっては、搖動体を倒した跡に机上には、板体が残る。【０００８】［特許文献１］には、パソコン用電源コンセント、アダプタ等の物がパソコン設置の近くに必要だが、これを設置するスペースが取ってない。
【先行技術文献】
【特許文献】
【０００９】
【特許文献１】特開２００２−１１６８４４号公報
【発明の概要】
【発明が解決しようとする課題】
【００１０】パソコン操作は机上前面で使用しているため他の作業も同じ机上を使用する事になりパソコンを移動させたいが、パソコンの移動には、ケーブル類が接続、コネクタの抜き差し又ケーブルを、引きずる等してコネクタ及びケーブルの接続部分の故障の原因に成りかねないし、他の作業が終わればパソコン操作に戻ったりするため不自由な姿勢で他の書類作業等をせざるを得ない、この様な事柄から同じ机上でパソコン操作以外の各種の作業が不自由なく行えるように机上の面積を確保するためパソコン収納立掛け箱を申請する。
【課題を解決するための手段】
【００１１】  机上においてパソコンを閉じた後、電源は通電のまま、又ケーブル類を抜き差ししないで収納箱を立掛けるための固定底板を必要とし固定底板は蝶番等を介しパソコンを乗せている滑らし板毎に収納箱に滑り込ませた後、前方へ回転させて立掛ける、収納箱はパソコンを入れるに十分な空間を持つ構造とし且つ立掛けた時に転倒防止の処置としてあおり止め等で収納箱に接続する、又机の長さに応じ固定するための調整板は固定底板との間で組みネジ等で固定する構造とし、机に固定するためアジャスターボルト等が用意されている。
［請求項１］机上に設置し、固板底板と調整板と収納箱とで形成されるパソコン収納立掛け台であって、固定底板と机の両袖側に固定する調整板は、机の横長さに応じて組みネジ穴が開けられており、又調整板は机の背面側からもアジャスターボルト等で固定でき、パソコンを収納する収納箱はパソコンに直接接続されているコネクタ、ケーブル類を収容できる部分を持ちこの収納箱は固定底板と蝶番等で繋がっているため収納箱に閉じたパソコンを入れたままの状態で収納箱を前方に倒すことにより立掛ける状態にする事が出来るパソコン収納立掛け台。
［請求項１］の収納箱は、パソコン寸法の縦寸法の約１／３以上を収納することが出来、且つパソコンに直接接続されている電源、ＬＡＮ、ケーブル類の収納可能な部分の空間を持ちパソコンに接続されるケーブル類は、収納箱のケーブル口から出し入れする事が出来、パソコンの転倒による故障を発生させない工夫として収納箱は、安易に物が当たった程度では、倒れないようにあおり止め等で確実に固定されるパソコン収納立掛け台。
［請求項１］の収納箱には、滑らし板（１５）を用い、パソコンを乗せた状態の滑らし板をパソコンを操作しやすい位置まで引き寄せて操作使用し、使用後はパソコンを滑らし板に載せた状態で収納箱にすべり込ませ、そのまま収納箱毎、９０度前方へ立て掛けるもので指を掛け、引き寄せ又立掛ける時に便利なようにパソコンを乗せた手前側に指穴の開口部を持ち、滑らし板は収納箱底部分との摩擦を少なくするように波型の底を持つパソコン収納立掛け台。
［請求項１］の固定底板は、収納箱と蝶番及び上蓋ステーを介して接続されており、収納箱を前方に回転立掛け、この固定底板は組ネジ取付穴等が有り、固定底板と調整板を重ねて使用するためもので調整板の取付け用組ネジ穴の位置を机の長さに応じて変更し、ネジ止めする事により机と固定底板と調整板を固定させることが出来、立掛けたときの転倒防止としてあおり止めが取付けられており収納箱の留金にあおり止めの片方を掛けて使用し且つ固定底板の収納箱背面側はパソコン用電源アダプタ、電源コンセントを設置する事が出来、共に接着付きマグネット等を貼り付け脱着可能な空間を持つパソコン収納立掛け台。
［請求項１］の調整板には机の両袖側及び背面袖側に固定することが出来る兼用型の構造のもので小判形長方形の組ネジ穴が開けられており机の長さに応じて、この固定底板及び調整板を重ね合わせた後、組みネジ等で固定され、さらに机との固定は調整板のアジャスターボルト等で行うことが出来るパソコン収納立掛け台。
［請求項６］机の背面側取付け専用型は、取付の収納箱は、［請求項１］の調整板は無く机の背面側に取付け固定する固定底板とアジャスターボルト等が一体の作りに成っているパソコン収納立掛け台。
［請求項７］机の板厚の返しが無く、背面及び両袖に調整板の取付けが出来ない場合は、机の両袖に直接アジャスターボルト等で取付けし、はみ出たボルト等の先端は、キャップ等で養生しておくパソコン収納立掛け台。
パソコンは、すぐに再度使用することを考慮し収納箱を下ろし滑らし板を引出した後、短時間で立ち上げられるように滑らし板の底部分は波状の構造とする。
【発明の効果】
【００１２】  滑らし板を用いることにより、パソコンを操作する上で机上で楽な操作位置を確保でき、パソコンは固定せず、収納箱に収納したパソコンを立て掛ける時は、コネクタ及びケーブル類を抜き差ししない状態でパソコンを立掛ける事が可能で、あおり止めを用いることにより、パソコン等に物が当たった程度では転倒しない工夫がなされこの立掛け収納箱により机上での不必要なパソコン分の空間が空き、立掛ける事により使用していたパソコン部分の空間がすべて平らに空き、障害物が机上から無くなり不自由な体勢で他の事務処理等を行っている事から開放され又パソコンを使用したいときもあおり止めを外し収納箱からパソコンを乗せている滑らし板を手前に引出せばパソコンに接続されているケーブル類を気にすることも無く素早く操作可能状態にすることが出来る。
［特許文献１］は、基台と揺動体を一体とし机にクランプで固定している構造にしているが、当発明は、パソコンの収納箱に、固定底板及び調整板を介して机に固定される構造にしてある。
［特許文献１］は、揺動体にパソコンを固定し倒立させているが倒立によって基台にケーブルを挟み込み、故障の原因を作る可能性があるが、当発明は、収納箱内に、パソコンに接続されているコネクタケーブル類をケーブル収容部分に収納可能にし、パソコンを倒した時に、固定底板にケーブルが挟まり断線する等を防ぐ事が出来る構造にしている。
［特許文献１］は、揺動体にパソコンを固定しているが、当発明は、ノートパソコンを、持ち運び移動する際も簡単にパソコンが収納箱から脱着出来る様に固定せず、滑らし板に乗せるだけで使用している。
［特許文献１］は、揺動体を倒立させた時、バネだけで自己保持させているが、当発明は、自己保持せずに物が触れても収納箱が倒れるのを防ぐ為、あおり止め等で収納台に止め、確実に転倒防止策を行っている。
［特許文献１］の、別実施形態のノート型パソコンスタンドは、机に固定せずに自立型でバネの力で保持させているが、当発明は、パソコンの重量は４〜５Ｋｇ程度有り、倒立した時の位置は重心が高く、物が接触すると前方向へ転倒し故障の原因の恐れがあるので、調整板を介し収納箱等は、必ず机に固定され、不注意による接触にも転倒を完全に防いでいる。
［特許文献１］の、別実施形態のノート型パソコンスタンドは、基板体を倒立させた時机上には、板体が残り、作業の邪魔になるが当発明は、収納箱を倒した跡の机上には、何も残らないため他の作業が、し易い構造である。
［特許文献１］は、パソコンには電源等が必要だが、机の下部等に転がしで置く構成で有り、パソコンを他に移動させるには、これ等を手元に引き寄せる必要があり不便であるが、当発明は、固定底板に設置箇所が有り、電源コンセント、アダプター等に接着付きマグネット等を使用する事により、これらの脱着を可能にし、パソコンの取外し移動を簡単にする事が出来る。
【図面の簡単な説明】
【００１３】
【図１】机の両袖側、又は背面側に取付けのパソコン収納立掛け台取付け展開図。
【図２】机の背面側専用取付けのパソコン収納立掛け台図。
【図３】パソコンを乗せ収納箱へ滑り込ませる為の滑らし板図。
【図４】収納箱内でパソコンを滑らし板に乗せている図。
【図５】収納箱に滑らし板ごとパソコンを仕切り板まで収納した図。
【図６】ケーブル収納部分の図。
【図７】ケーブル収納部分の開口部分図。
【図８】仕切り板図。
【図９】机の両袖にアジャスターボルト等で固定する図。
【図１０】固定底板と調整板の取付図
【発明を実施するための形態】
【００１４】  図１は、パソコン収納立掛け箱の取付け展開図（机の両袖側、又は背面側に取付ける場合）、机の長さに応じて、調整板６と固定底部２の組ネジ穴７を机の長さ位置に合わせて組みネジで左右６〜１２箇所を締める。又調整板６は、机の板にアジャスターボルト９等で左右６本で固定する。アジャスターボルト９で固定出来ない場合はノートパソコンの自重が約４〜５ｋｇ程度としても重心が高くなりすぎ自立は難しいのでアジャスターボルト等を両袖の板厚に取付ける（図９）の方法もある。
【００１５】  固定底部２と収納箱１は蝶番３等で繋がっておりパソコンは滑らし板１５に載せた後、収納箱１に収納しパソコンには電源、ケーブル類を接続、収納できるケーブル収納部分１７がありこの部分で接続する。
【００１６】  固定底板２の背面と収納箱１の中央には収納箱１をスムーズに前方９０度に倒すことが出来、且つ収納箱１の振れ及び転倒防止の為上蓋ステー５が取付けてある。
【００１７】  パソコン使用後は、収納箱１にケーブルと共に入れた状態で前方へ回転させ固定底部２のあおり止め４（金具、ゴム）を収納箱１に引掛けて転倒防止とする。
【００１８】  机の背面側専用に取付けが可能である事。
【００１９】  図３では、パソコンを乗せ、滑らして収納箱へ収納する滑らし板１５である。
収納箱の底部との摩擦を少なくする為、滑らし板１５の底部は波形になっている。
又パソコンを見易く引き入れ、立掛ける為板の手前を持上げて指穴を設けた構造である。
【００２０】  図４・５は、収納箱１に滑らし板１５にパソコンを乗せパソコンを操作使用している状態からパソコンを閉じた後、収納箱１にパソコンを収納した状態でのコンセントの取付け位置１３およびパソコン用アダプタの取り付け位置１４を記している。
【００２１】  図７は、収納箱１にケーブル収納部分を持ち、且つパソコンに接続するコネクタを収納箱の上部から抜き差し可能な開口部を持ち、ケーブル口１０からケーブル類を出し入れする、
【００２２】  図８の収納箱図は、パソコンを滑り込ませた時ケーブル収納部分とパソコン収納部分との境界を仕切り板で仕切ってある。
仕切り板は、ケーブル接続コネクタに掛からないよう収納板の両端側のみにある。
図７は、パソコン収納部分はパソコンの約１／３程度以上収納できる空間を持ちパソコンを開いた時パソコンの表示部に収納箱が掛からないよう考慮しケーブル収納部分の仕切り板からパソコン長さの約１／３程度に平板が有り、立掛けた時に転倒防止対策となっている。
【符号の説明】
【００２３】  １  収納箱
２  固定底板
３  蝶番
４  あおり止め用金具、ゴム
５  上蓋用ステー
６  調整板
７  組ネジ取付穴
８  組ネジ穴
９  アジャスターボルト
１０  ケーブル口
１１  パソコン収納位置
１２  机
１３  電源コンセント取付け位置
１４  パソコン用アダプタ取付け位置
１５  滑らし板
１６  指穴
１７  ケーブル収納部分
１８  平板
１９  仕切板
２０  ノートパソコン
２１  収容箱調整板
【図１】
2011041779.tif 000003
【図２】
2011041779.tif 000004
【図３】
2011041779.tif 000005
【図４】
2011041779.tif 000006
【図５】
2011041779.tif 000007
【図６】
2011041779.tif 000008
【図７】
2011041779.tif 000009
【図８】
2011041779.tif 000010
【図９】
2011041779.tif 000011
【図１０】
2011041779.tif 000012
【手続補正書】
【提出日】平成22年1月26日(2010.1.26)
【手続補正１】
【補正対象書類名】明細書
【補正対象項目名】全文
【補正方法】変更
【補正の内容】
【発明の詳細な説明】
【技術分野】
【０００１】
本発明は、ノート型パソコンを閉じた状態で机上において起立させることができるパソコン収納台に関する。
【背景技術】
【０００２】
作業者が机上で使用したノート型パソコンは、使用後はそのまま閉じた状態で机上に置かれている。そして、当該机上において作業者が書類記入・整理等の他の作業を行う場合、前記机上に置かれたノート型パソコンが邪魔ではあるが、その都度、電源やケーブル類等の抜き差しを行って移動させることが面倒なこともあり、当該作業者は不自由な姿勢で他の作業を行っていた。
【０００３】
そこで、特許文献１には、基台を机に止め、揺動体にパソコンを固定して倒立させるノート型パソコンスタンドが記載されている。
【０００４】
特許文献１に記載のノート型パソコンスタンドは、パソコンを揺動体に対しビス、両面テープ等で固定するものである。
【０００５】
また、特許文献１に記載のノート型パソコンスタンドは、パソコンを固定した揺動体を倒立位置に起こした時に、基台の自己保持をバネで行うものである。
【０００６】
しかしながら、上記特許文献１に記載のノート型パソコンスタンドは、パソコンを倒立させることによって基台にケーブルを挟み込み故障の原因を作る可能性があるものである。
【０００７】
また、上記特許文献１に記載のノート型パソコンスタンドは、揺動体にパソコンを固定するものであるため、当該パソコンを持ち運び移動する際の揺動体への脱着が簡単ではない。
【０００８】
さらに、上記特許文献１に記載のノート型パソコンスタンドは、揺動体を倒立させた際、バネのみにより自己保持させるものであり、転倒のおそれのあるものである。
【０００９】
一方、特許文献１には、別実施形態として、机に固定しない自立型でパソコンを倒立させる基板体付きのノート型パソコンスタンドが記載されている。
【００１０】
しかしながら、当該基板体付きのノート型パソコンスタンドは、揺動体を倒立させた後、机上に板体が残り他の作業の邪魔になるものである。
【００１１】
また、当該基板体付きのノート型パソコンスタンドは、机に固定しない自立型でバネの力で保持されるものであり、転倒のおそれがあるものである。
【００１２】
そして、特許文献１に記載された上記各ノート型パソコンスタンドにおいては、パソコン用電源コンセントやアダプタ等をパソコン近くに設置する必要があるが、これらを設置するスペースがない。
【先行技術文献】
【特許文献】
【００１３】
【特許文献１】特開２００２−１１６８４４号公報
【発明の概要】
【発明が解決しようとする課題】
【００１４】
そこで、本発明は、ノート型パソコンを使用する机上でパソコン操作以外の各種作業が不自由なく行えるよう、机上における作業面積を確保できるパソコン収納台を提供することを目的とする。
【課題を解決するための手段】
【００１５】
上記目的を達成するため、本発明は、机上に設置され、閉じたノート型パソコンを倒立状態とすることができるパソコン収納台であって、組ネジ取付穴７が形成される固定底板２と、パソコンを収納するとともに当該パソコンに接続されるコネクタやケーブル類を収容するケーブル収容部分１７を有し、前記固定底板２と蝶番３で繋がれる収納箱１と、組ネジ穴８が形成され、机の長さに応じて前記固定底板２と重ね合わせた後に該固定底板２と組ネジで固定され、アジャスターボルト等により机の両袖側又は背面側に固定される調整板６と、を備えることを特徴とするものである。
【００１６】
本発明は、前記収納箱１が、パソコン縦寸法の約１／３以上を収納することができるものであって、前記ケーブル収容部分１７に収容されるケーブル類を外部に出し入れ可能とするケーブル口１０と、パソコンの倒立状態時において前記固定底部２に取り付けられるあおり止め４を引っ掛けるための留金と、をさらに備えることが好ましい。
【００１７】
本発明は、前記収納箱１が、パソコンを載置するものであって使用時にはパソコンを操作位置に引出し、使用後は収納箱１に収納する滑らし板１５を備え、当該滑らし板１５が、パソコンを載置する手前側に指穴１６の開口部が設けられるとともに、前記パソコンの引出し及び収納時における収納箱１底部との摩擦を少なくするよう底部が波形とされることが好ましい。
【００１８】
本発明は、前記固定底板２が、前記収納箱１と蝶番３及び上蓋ステー５を介して接続されるとともに、パソコン用電源アダプタ及び電源コンセントが接着付きマグネット等を使用して脱着可能とされることが好ましい。
【００１９】
本発明は、前記調整板６の組ネジ穴８が小判形長方形であることが好ましい。
【００２０】
また、本発明は、前記パソコン収納台において、調整板６を使用せず、固定底板２がアジャスターボルト等により直接机の背面側に固定されることを特徴とするものである。
【発明の効果】
【００２１】
本発明のパソコン収納台によれば、不使用時においてノート型パソコンを倒立状態とすることができるので、障害物が机上からなくなり作業者は他の事務処理等の作業を不自由な体勢で行う必要がない。また、本発明のパソコン収納台によれば、パソコンに接続されるコネクタやケーブル類をケーブル収容部分１７に収容するものであるため、パソコンを倒立状態とする際に、固定底板２との間にケーブル類等が挟まり断線すること等を防ぐことができる。さらに、本発明のパソコン収納台によれば、机の長さに応じて固定底板２と調整板６が固定され、アジャスターボルト等により机の両袖側又は背面側に固定されるため、倒立状態において不注意で接触しても収納箱１の転倒を防止することができる。
【００２２】
本発明のパソコン収納台によれば、コネクタ及びケーブル類を抜き差しせずにパソコンを倒立状態とすることができる。また、その際、あおり止め４を用いることにより収納箱１の転倒を防止することができる。
【００２３】
本発明のパソコン収納台によれば、滑らし板１５に設けられる指穴１６の開口部を持ち、当該滑らし板１５を収納箱１から引き出し、収納箱１へ引き入れ、パソコンを倒立状体とすることができる。また、前記滑らし板１５は底部分を波形とすることで、収納箱１の底部との摩擦を少なくすることができる。そして、本発明のパソコン収納台によれば、滑らし板１５を手前に引き出せば、ケーブル類を気にすることなくパソコンを素早く操作可能な状態とすることができる。さらに、本発明のパソコン収納台は、パソコンを滑らし板１５に載せるだけで固定しないため、該パソコンを持ち運び移動する際も簡単に収納箱１から脱着させることができる。
【００２４】
本発明のパソコン収納台によれば、固定底板２が収納箱１と上蓋ステー５を介して接続されるため、収納箱１を倒立させる際の振れ及び転倒を防止することができる。
また、本発明のパソコン収納台は、電源コンセント、アダプター等を接着剤付きマグネット等を使用して固定底板２に脱着可能とするため、パソコンを取り外し、移動することを簡単なものとすることができる。
【００２５】
本発明のパソコン収納台は、調整板６を使用しない場合でも、固定底板２をアジャスターボルト等により直接机の背面側に固定するものとすることができる。
【図面の簡単な説明】
【００２６】
【図１】机の両袖側又は背面側への取付け用パソコン収納台の取付け展開図。
【図２】机の背面側への取付け専用のパソコン収納台の説明図。
【図３】ノート型パソコンを収納箱へ収納するための滑らし板の説明図。
【図４】ノート型パソコンを滑らし板上で操作使用する状態の説明図。
【図５】ノート型パソコンを滑らし板とともに収納箱に収納した状態の説明図。
【図６】ケーブル収納部分の説明図。
【図７】ケーブル収納部分の開口部の説明図。
【図８】収納箱内の仕切板の説明図。
【図９】パソコン収納台を机の両袖にアジャスターボルト等で固定する場合の説明図。
【図１０】固定底板と調整板の取付の説明図。
【発明を実施するための形態】
【００２７】
本発明の実施の形態を説明する。
図１は、机の両袖側又は背面側への取付け用パソコン収納台の取付け展開図を示す。本実施の形態におけるパソコン収納台は、閉じたノート型パソコンを収納し机上で倒立状態とする収納箱１と、該収納箱１を固定する固定底部２及び該固定底板２と組ネジで固定される調整板６から構成される。固定底部２の左右両側には複数の組ネジ取付穴７が設けられ、また調整板６には組ネジ穴８が設けられており、固定底部２と重ね合わせて使用する調整板６の位置を机の幅方向長さに合わせた状態で両者を組ネジにより左右６〜１２箇所固定する。そして、前記調整板６は、机の板に左右６本のアジャスターボルト９等で固定される。なお、調整板６を机の板にアジャスターボルト９で固定できない場合は、図９に示す様に机の両袖側面に取り付けるものとすることもできる。
【００２８】
本実施の形態におけるパソコン収納台は、図１、図１０等に示すとおり収納箱１が固定底板２と蝶番３等で繋がれており、図６等に示す様に当該収納箱１には収納されたパソコンに接続される電源やケーブル類を収納できるケーブル収納部分１７が設けられている。また、図２、図１０等に示すとおり、固定底板２の背面側と収納箱１の中央には、当該収納箱１をスムーズに倒立させることができ、且つ収納箱１の振れや転倒を防止することができるよう上蓋ステー５が取り付けられている。さらに、倒立状態とされた収納箱１は、固定底板２に取り付けられるあおり止め４（金具、ゴム）を当該収納箱１の留金に引掛けることて転倒が防止されるものである。
【００２９】
図２は、机の背面側への取付け専用のパソコン収納台の説明図を示す。本実施の形態のパソコン収納台は、収納箱１，固定底板２から構成されるものである。本実施の形態のパソコン収納台は、調整板６を使用していないが、この場合、固定底板２をアジャスターボルト等により直接机の背面側に固定することができる。
【００３０】
図３は、ノート型パソコンを収納箱へ収納するための滑らし板１５の説明図を示す。滑らし板１５は、パソコンを載置し滑らせて当該パソコンを収納箱１へ収納したり、収納箱１から操作位置に引き出したりするもので、収納箱１の底部との摩擦を少なくするため、底部が波形とされている。また、滑らし板１５は、載置されるパソコンを収納箱１から引き出し、収納箱１へ引き入れ、倒立状体とすることができるよう指穴１６の開口部が形成されている。
【００３１】
図４はノート型パソコンを滑らし板１５上で操作使用する状態の説明図、図５はノート型パソコンを滑らし板１５とともに収納箱１に収納した状態の説明図をそれぞれ示す。また、図４及び図５には、固定底板２における電源コンセントの取付位置１３及びパソコン用アダプタの取付位置１４を示している。当該電源コンセント、アダプター等は、接着剤付きマグネット等を使用して固定底板２に脱着可能とされるため、パソコンを取り外し、移動することが簡単なものとなる。
【００３２】
図６は収納箱１におけるケーブル収納部分１７の説明図、図７は前記ケーブル収納部分１７の開口部の説明図をそれぞれ示す。収納箱１に設けられるケーブル収納部分１７は、図６に示す様にケーブル類を出し入れするケーブル口１０を備えるものである。また、収納箱１に設けられるケーブル収納部分１７は、図７に示す様にパソコンに接続されるコネクタを当該収納箱１の上部から抜き差し可能な開口部を備えるものである。そして、図７に示す様に、収納箱１には、後述するパソコン収納部分とケーブル収納部分１７を仕切る仕切板１９からパソコン長さの約１／３程度手前側の位置に平板１８が設けられており、倒立状態としたときのパソコンの転倒を防止できるものとなっている。
【００３３】
図８は収納箱１内における仕切板１９の説明図を示す。収納箱１の内部は、当該仕切板１９によりパソコン収納部分とケーブル収納部分１７とに仕切られている。また、仕切板１９は、パソコンに接続されるケーブル接続コネクタの障害にならないよう収納箱１内の両端部にのみ設けられている。
【符号の説明】
【００３４】
１      収納箱
２      固定底板
３      蝶番
４      あおり止め用金具、ゴム
５      上蓋用ステー
６      調整板
７      組ネジ取付穴
８      組ネジ穴
９      アジャスターボルト
１０      ケーブル口
１１      パソコン収納位置
１２      机
１３      電源コンセント取付け位置
１４      パソコン用アダプタ取付け位置
１５      滑らし板
１６      指穴
１７      ケーブル収納部分
１８      平板
１９      仕切板
２０      ノートパソコン
２１      収納箱調整板
【手続補正２】
【補正対象書類名】特許請求の範囲
【補正対象項目名】全文
【補正方法】変更
【補正の内容】
【特許請求の範囲】
【請求項１】
机上に設置され、閉じたノート型パソコンを倒立状態とすることができるパソコン収納台であって、
組ネジ取付穴（７）が形成される固定底板（２）と、
パソコンを収納するとともに当該パソコンに接続されるコネクタやケーブル類を収容するケーブル収容部分（１７）を有し、前記固定底板（２）と蝶番（３）で繋がれる収納箱（１）と、
組ネジ穴（８）が形成され、机の長さに応じて前記固定底板（２）と重ね合わせた後に該固定底板（２）と組ネジで固定され、アジャスターボルト等により机の両袖側又は背面側に固定される調整板（６）と、
を備えることを特徴とするパソコン収納台。
【請求項２】
前記収納箱（１）は、パソコン縦寸法の約１／３以上を収納することができるものであって、前記ケーブル収容部分（１７）に収容されるケーブル類を外部に出し入れ可能とするケーブル口（１０）と、パソコンの倒立状態時において前記固定底部（２）に取り付けられるあおり止め（４）を引っ掛けるための留金と、をさらに備えることを特徴とする請求項１記載のパソコン収納台。
【請求項３】
前記収納箱（１）は、パソコンを載置するものであって使用時にはパソコンを操作位置に引出し、使用後は収納箱（１）に収納する滑らし板（１５）を備え、
当該滑らし板（５）は、パソコンを載置する手前側に指穴（１６）の開口部が設けられるとともに、前記パソコンの引出し及び収納時における収納箱（１）底部との摩擦を少なくするよう底部が波形とされることを特徴とする請求項１又は２記載のパソコン収納台。
【請求項４】
前記固定底板（２）は、前記収納箱（１）と蝶番（３）及び上蓋ステー（５）を介して接続されるとともに、パソコン用電源アダプタ及び電源コンセントが接着付きマグネット等を使用して脱着可能とされることを特徴とする請求項１乃至３の何れか一項記載のパソコン収納台。
【請求項５】
前記調整板（６）の組ネジ穴（８）は小判形長方形であることを特徴とする請求項１乃至４の何れか一項記載のパソコン収納台。
【請求項６】
請求項１乃至５の何れかに記載のパソコン収納台において、調整板（６）がなく、固定底板（２）がアジャスターボルト等により直接机の背面側に固定されることを特徴とするパソコン収納台。